(57)【要約】【課題】梁と略垂直、若しくは略平行に設けられた大引を、該梁に同一の固定具で固定することができると共に、その際に、該大引の高さ調節を容易に行うことのできる大引固定具に関する。【解決手段】本発明の大引固定具１は、梁２の長手方向に対して略垂直方向に当該梁２に固定する取付板３、大引４をその表裏面において載置固定可能な載底板５の両側において同方向に略垂直に固定した大引４の両側面を規制する規制板６、を有する断面が略コの字型の大引載置固定部７、とを具備し、前記取付板３の梁２と反対側の端縁の略中央部分に前記載底板５の端縁の２つの規制板６に挟まれた略中央部分を該取付板３と直交するように固定し、さらに、必要に応じて、前記取付板３と載底板５との固定が、前記載底板５の端縁と両規制板６の端縁に固定した補強材８によってなされるものである。【選択図】図１
2007291625.tif 000002
【特許請求の範囲】
【請求項１】
梁の長手方向に対して略垂直方向に当該梁に固定する取付板、
大引をその表裏面において載置固定可能な載底板の両側において同方向に略垂直に固定した大引の両側面を規制する規制板を有する断面が略コの字型の大引載置固定部とを具備し、
前記取付板の梁と反対側の端縁の略中央部分に前記載底板の端縁の２つの規制板に挟まれた略中央部分を該取付板と略直交するように固定したことを特徴とする大引固定具。
【請求項２】
前記取付板と載底板との固定が、前記載底板の端縁と両規制板の端縁に固定した補強材によってなされるものであることを特徴とする請求項１に記載の大引固定具。
【発明の詳細な説明】
【技術分野】
【０００１】
この発明は、大引を梁に固定するための大引固定具に関する。
【背景技術】
【０００２】
従来、大引１００を土台梁１０１固定するための支持具としては、図９に示すような、土台梁１０１の側面に固定される一対の固定片１０２と、大引１００を挟み込む一対のＬ字片１０３と、該Ｌ字片１０３の下端間を連結する底片１０４から形成され、基礎１０５上の土台梁１０１に固定されて該大引１００の端部を支持すると共に、該大引１００の端部の高さの調節を行う高さ調節機構１０６を備えた、大引支持具１０７が用いられている。（例えば特許文献１）
【０００３】
【特許文献１】特開平２０００−８０７４５号公報
【発明の開示】
【発明が解決しようとする課題】
【０００４】
しかし、上述のような大引１００を土台梁１０１に固定する大引支持具１０６においては、土台梁１０１と略直角に設けられた大引１００に対しては使用することができるが、土台梁１０１と略平行に設けられた大引１００に対しては使用することができない。そのため、土台梁１０１と略平行に設けられた大引１００に対しては他の支持具を改めて作製する必要があると共に、作業時にはそれらを使い分けなければならず、工程が複雑になる、という問題が生じる。
【０００５】
この発明は上記のような種々の課題を解決することを目的としてなされたものであって、梁と略垂直、若しくは略平行に設けられた大引を、該梁に同一の固定具で固定することができると共に、その際に、該大引の高さ調節を容易に行うことのできる大引固定具に関する。
【課題を解決するための手段】
【０００６】
上記目的を達成するために、請求項１記載の大引固定具は、梁の長手方向に対して略垂直方向に当該梁に固定する取付板、大引をその表裏面において載置固定可能な載底板の両側において同方向に略垂直に固定した大引の両側面を規制する規制板を有する断面が略コの字型の大引載置固定部とを具備し、前記取付板の梁と反対側の端縁の略中央部分に前記載底板の端縁の２つの規制板に挟まれた略中央部分を該取付板と略直交するように固定したことを特徴としている。
【０００７】
請求項２記載の大引固定具は、前記取付板と載底板との固定が、前記載底板の端縁と両規制板の端縁に固定した補強材によってなされるものであることを特徴としている。
【発明の効果】
【０００８】
請求項１記載の大引固定具は、梁の長手方向に対して略垂直方向に当該梁に固定する取付板、大引をその表裏面において載置固定可能な載底板の両側において同方向に略垂直に固定した大引の両側面を規制する規制板を有する断面が略コの字型の大引載置固定部とを具備している。そのことによって、梁と略垂直、若しくは略平行に設けられた大引を、同一の大引固定具で該梁と固定することができる。そのため、改めて金具を作成する必要がなく、作業工程が簡便になると共に、施工現場においても作業性を向上することができる。
【０００９】
請求項２記載の大引固定具は、前記取付板と載底板との固定が、前記載底板の端縁と両規制板の端縁に固定した補強材によってなされている。ここで、大引を大引固定具により、該梁に固定する際には、該大引が載底板に対して鉛直下方に力を及ぼす。しかし、その際にも、上述のように補強材を設けることで、該大引固定具が破損若しくは変形することがなく、載底板の表裏面どちらの面で該大引を載置固定した際にも、十分な強度を発揮することができる。
【発明を実施するための最良の形態】
【００１０】
この発明の大引固定具１の最良の実施形態について、以下図１、及び図４に基づいて説明する。この実施例の大引固定具１は、梁２の長手方向に対して略垂直方向に当該梁２に固定する取付板３、大引４をその表裏面において載置固定可能な載底板５の両側において同方向に略垂直に固定した大引４の両側面を規制する規制板６、を有する断面が略コの字型の大引載置固定部７、とを具備し、前記取付板３の梁２と反対側の端縁の略中央部分に前記載底板５の端縁の２つの規制板６に挟まれた略中央部分を該取付板３と直交するように固定し、さらに、必要に応じて、前記取付板３と載底板５との固定が、前記載底板５の端縁と両規制板６の端縁に固定した補強材８によってなされるものである。
【００１１】
梁２には、例えば、図１に示すようなＨ鋼等が用いられる。そして、該梁２には、図１に示すような、前記大引固定具１を固定するためのボルト穴９を具備した補剛材１０が、予め必要に応じて適宜、所定間隔で設けられている。
【００１２】
前記載底板５は、図２、及び図５に示すように、大引４をその表裏面において載置可能としている。また、載底板５は安定的に大引４を載置固定することができるように、その形状が、梁２の長手方向に長い略長方形となっており、該載底板５には、大引４を固定するためのボルト穴１１が形成されている。さらに、図１に示すように、梁２と略平行に設けられた大引４を載底板において固定する際には、予めボルト穴１２が設けられた大引４に、平座金付ボルト１３を該大引４の上方から下方に貫通し、さらに載底板５に設けられたボルト穴１１を貫通し、平座金付ナット１４により締付固定される。また、この際、大引４に設けられたボルト穴１２は、施工後に平座金付ボルト１３の頭部が、該大引４から突出することなく、図２に示すように、埋没するような形状で形成されている。
【００１３】
また、前述のように、梁２と略平行に設けられた大引４の高さを調節する際には、図１に示すように、例えば、凹状のプレート１５を大引４と載底板５の間に挿入することによって、該大引４の高さを調節することが可能となる。また、プレート１５の使用枚数、及び厚みは、調節する高さの程度に応じて、適宜その枚数及び厚みを選択する。さらに、プレート１５の形状は、図１に示すような凹状のプレート１５に限定されるものではなく、前述のように、梁と略平行に設けられた大引４を載底板５に固定する際の、平座金付ボルト１３やボルト穴１１の妨げにならないようなものであれば、例えば、載底板５と同形状のプレート１５であってもよい。
【００１４】
前記規制板６は、載底板５の両側において同方向に略垂直に固定した大引４の両側面を規制するものであり、図７に示すように、該大引４を固定するためのネジ穴１６と、該大引４の高さを調節する際に、該大引４を仮止めするための長穴１７が設けられている。さらに、該規制板６は、前記載底板５と、図７に示すような、断面が略コの字型の大引載置固定部７を形成している。そして、梁２と略垂直に設けられた大引４を、該梁２へ固定する際には、図４に示すように、上方から大引４を大引載置固定部７に嵌入し、両規制板６に設けられたネジ穴１６を用いて、ネジ１８により固定する。
【００１５】
また、大引４の高さを調節する際には、前述のように大引載置固定部７に大引４を嵌入する。そして、ネジ１８により固定をする前に、図６に示すように、載底板５と大引４の間に間隔Aを設けるようにして、大引４の高さを調節する。そして、規制板６に設けられた長穴１７を用いて、仮止ネジ１９により仮止めを行い、該大引４を所望の高さに仮固定する。その後、両規制板６に設けられたネジ穴１６を用いて、ネジ１８により固定する。このようにすることで、適宜大引４の高さを調節することが可能となる。
【００１６】
前記取付板３は、図３に示すように、梁２の長手方向に対して略垂直方向に当該梁２に固定され、該取付板３の梁２と反対側の端縁の略中央部分に、前記載底板５の端縁の２つの規制板６に挟まれた略中央部分を、該取付板３と直交するように固定している。そして、取付板３にはボルト２０及びナット２１により、梁２に設けられた補剛材１０と固定するためのボルト穴２２が設けられている。さらに、大引固定具１は図１及び図４に示すように、載底板５の表裏面において載置固定可能であり、そのどちらの面で大引を載置固定する際にも、取付板３のボルト穴２２と、梁２に設けられた補剛材１０のボルト穴９とが対応し、該取付板３の補剛材１０への固定が可能となるように、該ボルト穴２２のうち中央のボルト穴２２は長穴２２aとなっている。
【００１７】
取付板３とを介して載底板５との固定が、この実施形態においては、該載底板５の端縁と両規制板６の端縁に固定した前記補強材８によってなされている。そのことによって、取付板３と載底板５が強固に接続される。さらに、補強材８は、図７に示すように、両規制板６の、載底板５と反対側の端部付近において、該端部が幅方向に渡って、該載底板５と反対側に折曲げられた、折曲片２３を有する。これによって、大引固定具１により大引４を固定する際に、載底板５に該大引４が載置固定されることで、該載底板５と接続している補強材８にも、該大引４から大きな力が作用する。そのことにより、補強材８が前述の力に耐え切れず、破損若しくは変形する可能性がある。しかし、前記折曲片２３を形成することで、大引４から大きな力が作用したとしても、補強材８が破損若しくは変形することなく、該大引４を固定することが可能となる。この補強材８は、この形状に限定されることなく、他の形状であってもよい。また、この補強材８を使用しないで、取付板３と載底板５の端縁同士を、溶接などによって直接固定してもよい。
【００１８】
以上のように構成される、前記大引固定具１の使用方法を説明する。
【００１９】
図１に示すように、梁２に対して略平行に設けられた大引４を、大引固定具１を用いて、該梁２に固定する場合について説明する。まず、大引固定具１を構成する取付板３のボルト穴２０と、該梁２に設けられた補剛材１０のボルト穴９を対応させ、ボルト２０及びナット２１により固定する。その後、予め平座金付ボルト１３の頭部を埋没させるように形成されたボルト穴１２が設けられた大引４を、前記載底板５に、平座金付ボルト１３を該大引に設けられたボルト穴１２の上方から下方に貫通し、さらに、該載底板５に設けられたボルト穴１１を貫通し、平座金付ナット１４により締付固定することにより、固定する。
【００２０】
前述のように大引４を載底板５に載置固定する際に、該大引４の高さを調節する時には、図１に示すように、大引４と載底板５との間に、凹状のプレート１５を適宜挿入し、所望の高さに調節することが可能である。また、大引４と載底板５、若しくは大引４と凹状のプレート１５の間に、施工後の床鳴り防止のために、硬化性樹脂材料等を塗布してもよい。さらに、建物のコーナー部分においても、固定プレート２４によって略直角に接合された２本の大引４を、図８に示すように、前記大引固定具１を用いて、該大引４を該梁２に固定することが可能となる。
【００２１】
次に図４に示すように、梁２に対して略垂直に設けられた大引４を、大引固定具１を用いて、該梁２に固定する場合について説明する。まず、前述と同様に大引固定具１を構成する取付板３と、該梁２に設けられた補剛材１０とを固定する。その後、図４に示すように、大引４を上方から前記大引載置固定部７に嵌入し、前記規制板６に設けられたネジ穴１６を用いてネジ１８により固定する。
【００２２】
前述のように大引４を載底板５に載置固定する時に、該大引４の高さを調節する際には、図６に示すように、ネジ１８により固定をする前に、載底板５と大引４の間に間隔Aを設けるようにして、大引４の高さを調節する。そして、規制板６に設けられた長穴１７を用いて、仮止めネジ１９により仮止めを行い、該大引４を所望の高さに仮固定する。その後、両規制板６に設けられたネジ穴１６を用いてネジ１８により固定する。このようにすることで、適宜大引４の高さを調節することが可能となる。また、大引４と、大引載置固定部７を構成する規制板６及び載底板５の間に、施工後の床鳴り防止、及び仮固定を補助するために、上述と同様の硬化性樹脂材料等を塗布してもよい。
【００２３】
以上のように、大引固定具１を用いることで、該梁２に対して略平行、及び略垂直に設けられた大引４を、同一の固定具を用いて、該大引４を該梁２に固定することが可能となるばかりではなく、その際の、該大引４の高さの調節も容易に行うことが可能となる。
【産業上の利用可能性】
【００２４】
この発明の大引固定具１は、束を用いない免震設計の建物のみならず、従来の束を用いた建物に対しても使用することができる。
【図面の簡単な説明】
【００２５】
【図１】大引固定具の使用例全体斜視図
【図２】大引固定具の使用例断面斜視図
【図３】大引固定具の斜視図
【図４】大引固定具の他の使用例全体斜視図
【図５】大引固定具の他の使用例断面斜視図
【図６】大引固定具の他の使用例の仮止図
【図７】大引固定具の他の使用例時の斜視図
【図８】大引固定具の使用応用例
【図９】従来の金具の使用図
【符号の説明】
【００２６】
１      大引固定具
２      梁
３      取付板
４      大引
５      載底板
６      規制板
７      大引載置固定部
８      補強材
１０    補剛材
２３    折曲片
【図１】
2007291625.tif 000003
【図２】
2007291625.tif 000004
【図３】
2007291625.tif 000005
【図４】
2007291625.tif 000006
【図５】
2007291625.tif 000007
【図６】
2007291625.tif 000008
【図７】
2007291625.tif 000009
【図８】
2007291625.tif 000010
【図９】
2007291625.tif 000011